(57)【要約】【課題】  開示の付け帯は、４通りの帯柄を楽しむことができると共に、表に出る部位の帯柄を統一させることによって和服や小物とのコーディネイトを容易にし、着用方法も容易である。【解決手段】  本発明に係る付け帯の胴巻部分は、通常、和服用の帯は二巻きして着用するところ、一巻き目の帯布は二巻き目の帯布に隠れ見えなくなることに着目し、両面で四通り（片面で二通り）の帯柄を表現できるように、４つの異なる帯布を使用して仕立てる。また、お太鼓を形成する垂れ部分は、お太鼓を形成したときに表に現れる太鼓面と垂れ先の模様の方向を揃えるように、かつ、両面で四通り（片面で二通り）の帯柄を表現できるように、４つの異なる帯布を使用して仕立てる。【選択図】図１
2014148761.tif 000002
【特許請求の範囲】
【請求項１】
着用者の胴に２巻半程度巻き付けて使用する半幅の胴巻部と帯結びの装飾部位となる全幅の垂れ部とを有し、柄が異なる四通りの帯として使用することができる和服用の付け帯であって、
前記胴巻部の一の面においては、装飾部位の形状を保たせるために使用する第一の手先部及び第二の手先部と、着用者の胴囲程度の長さを備える第一の手部及び第二の手部とが設けられると共に、前記第一の手先部、前記第一の手部、前記第二の手部及び前記第二の手先部の順に接合され、
前記胴巻部の他の面においては、装飾部位の形状を保たせるために使用する第三の手先部及び第四の手先部と、着用者の胴囲程度の長さを備える第三の手部及び第四の手部とが設けられると共に、前記第三の手先部、前記第三の手部、前記第四の手部及び前記第四の手先部の順に接合され、
前記垂れ部の一の面においては、該垂れ部の端部に位置する第一の垂れ先部及び第二の垂れ先部と、お太鼓を形成する部位である第一の太鼓面部及び第二の太鼓面部とが設けられると共に、前記第一の垂れ先部、前記第一の太鼓面部、前記第二の太鼓面部及び前記第二の垂れ先部の順に接合され、前記第一の垂れ先部及び第二の太鼓面部の組並びに前記第一の太鼓面部及び第二の垂れ先部の組における各組で使用される帯布の帯柄の向きが該組間で前記垂れ部の長手方向において対称、かつ、前記第一の太鼓面部及び前記第二の太鼓面部で使用される帯布の帯柄の上から下への向きが互いに向き合うように仕立てられ、
前記垂れ部の他の面においては、該垂れ部の端部に位置する第三の垂れ先部及び第四の垂れ先部と、お太鼓を形成する部位である第三の太鼓面部及び第四の太鼓面部とが設けられると共に、前記第三の垂れ先部、前記第三の太鼓面部、前記第四の太鼓面部及び前記第四の垂れ先部の順に接合され、前記第三の垂れ先部及び第四の太鼓面部の組並びに前記第三の太鼓面部及び第四の垂れ先部の組における各組で使用される帯布の帯柄の向きが該組間で前記垂れ部の長手方向において対称、かつ、前記第三の太鼓面部及び前記第四の太鼓面部で使用される帯布の帯柄の上から下への向きが互いに向き合うように仕立てられ、
前記第一の手先部及び前記第三の手部の組、前記第一の手部及び前記第三の手先部の組、前記第二の手部及び前記第四の手先部の組並びに前記第二の手先部及び前記第四の手部の組の各組においては、帯柄が異なる第一の帯布、第二の帯布、第三の帯布及び第四の帯布のうち一つずつが、重複の無いように使用され、
前記第一の垂れ先部及び第二の太鼓面部の組、前記第一の太鼓面部及び第二の垂れ先部の組、前記第三の垂れ先部及び第四の太鼓面部の組並びに前記第三の太鼓面部及び第四の垂れ先部の組の各組においては、帯柄が異なる第一の帯布、第二の帯布、第三の帯布及び第四の帯布のうち一つずつが、重複の無いように使用されることを特徴とする付け帯。
【請求項２】
前記第一の手先部及び前記第三の手部の組、前記第一の手部及び前記第三の手先部の組、前記第二の手部及び前記第四の手先部の組並びに前記第二の手先部及び前記第四の手部の組の各組においては、使用される帯布の帯柄の向きが前記胴巻部の短手方向に揃うように仕立てられることを特徴とする請求項１に記載の付け帯。
【発明の詳細な説明】
【技術分野】
【０００１】
和服用の付け帯の技術に関する。
【背景技術】
【０００２】
近年、日常の場において、和服が着用される場面が減り、タンスの中で仕舞ったままとなっている着物・羽織・帯等（以下、単に「着物等」という。）が沢山存在するものと推測される。
【０００３】
一方、パーソナルコンピュータ、携帯情報端末の普及によって、インターネットを通じたネットオークションなど、古品や新古品を安価、かつ、容易に購入できる機会が提供されている。それに伴い、着物等についても、ネットオークションを通じて古品や新古品を安価、かつ、容易に手に入れることができる機会が提供されているという現状がある。
【０００４】
他方、着物等をよく着用する人にとっては、着物等を多数保有し、着こなしのバリエーションを楽しみたいとの思いはあるものの、着物等が高価であることに加え、日本の住宅事情を勘案すると、狭い家の中で多数の着物等の収納スペースを確保することは容易なことではない。
【０００５】
従って、ネットオークションなどを通じて古品や新古品の着物等を安価に入手し、一本の帯でも複数通りの帯柄を楽しめるように、入手した着物等で仕立てることができれば、金銭的負担と収納スペースの問題を両方同時に解決させることができる。
【０００６】
そのような状況下、１組の帯であっても、多数の帯柄を楽しむことができる和服用の帯について多数の提案がなされており、例えば、特許文献１では、合計３２通りの模様違い又は結び方違いのバリエーションの提供を可能にするセパレート帯が提案されている。
【先行技術文献】
【特許文献】
【０００７】
【特許文献１】特開平９−１３２１３号公報
【発明の概要】
【発明が解決しようとする課題】
【０００８】
ここで、和服の着用者にとっては、手・垂れ・垂れ先に現れる帯柄の組合せが豊富な帯よりも、表に現れる帯柄が統一された帯であって、複数通りの帯柄を表に出すことができる帯の方が重宝し、和服や小物とのコーディネイトの観点からも後者の帯の方が優れているものと考えられる。
【０００９】
換言すれば、上記の従来技術のように、手・垂れ・垂れ先に現れる帯柄の組合せを３２種類にした場合、和服や小物とのコーディネイトに一貫性が無くなる恐れがあるという問題点がある。
また、上記の従来技術では、手・垂れ・垂れ先に現れる帯柄を統一した場合、表にできる帯柄は一通りしかないという問題点がある。
【００１０】
さらに、上記の従来技術では、お太鼓の形状を維持させる手先が胴巻用帯と一体となっていることに加え、胴巻用帯が表裏異模様であるため、上記の従来技術として開示された事項ではないものの、当該開示された事項を発展させ、表に現れる帯柄を統一させた場合であっても、表に出す帯柄は二通りまでしか増やすことができないという問題点もある。
【００１１】
また、上記の従来技術では、お太鼓として表に出す部位（帯柄）によって、太鼓部用帯の折り方（巻き方）が異なり、着用者に大きな負担を強いることになるという問題点もある。
【００１２】
また、上記の従来技術では、胴巻部用帯が全幅であり、着用者の胴部分における帯布の重なりが、帯芯を含めると１２枚となり、着用者の胴部に巻く帯が厚く締め難いという問題点もある。
【００１３】
従って、本発明においては、上記の問題点に鑑み、４通りの帯柄を楽しむことができると共に、表に出る部位の帯柄を統一させることによって和服や小物とのコーディネイトを容易にし、着用方法も容易である付け帯を提供することを目的とする。
【課題を解決するための手段】
【００１４】
開示する付け帯の一形態は、着用者の胴に２巻半程度巻き付けて使用する半幅の胴巻部と帯結びの装飾部位となる全幅の垂れ部とを有し、柄が異なる四通りの帯として使用することができる和服用の付け帯であって、前記胴巻部の一の面においては、装飾部位の形状を保たせるために使用する第一の手先部及び第二の手先部と、着用者の胴囲程度の長さを備える第一の手部及び第二の手部とが設けられると共に、前記第一の手先部、前記第一の手部、前記第二の手部及び前記第二の手先部の順に接合され、前記胴巻部の他の面においては、装飾部位の形状を保たせるために使用する第三の手先部及び第四の手先部と、着用者の胴囲程度の長さを備える第三の手部及び第四の手部とが設けられると共に、前記第三の手先部、前記第三の手部、前記第四の手部及び前記第四の手先部の順に接合され、前記垂れ部の一の面においては、該垂れ部の端部に位置する第一の垂れ先部及び第二の垂れ先部と、お太鼓を形成する部位である第一の太鼓面部及び第二の太鼓面部とが設けられると共に、前記第一の垂れ先部、前記第一の太鼓面部、前記第二の太鼓面部及び前記第二の垂れ先部の順に接合され、前記第一の垂れ先部及び第二の太鼓面部の組並びに前記第一の太鼓面部及び第二の垂れ先部の組における各組で使用される帯布の帯柄の向きが該組間で前記垂れ部の長手方向において対称、かつ、前記第一の太鼓面部及び前記第二の太鼓面部で使用される帯布の帯柄の上から下への向きが互いに向き合うように仕立てられ、前記垂れ部の他の面においては、該垂れ部の端部に位置する第三の垂れ先部及び第四の垂れ先部と、お太鼓を形成する部位である第三の太鼓面部及び第四の太鼓面部とが設けられると共に、前記第三の垂れ先部、前記第三の太鼓面部、前記第四の太鼓面部及び前記第四の垂れ先部の順に接合され、前記第三の垂れ先部及び第四の太鼓面部の組並びに前記第三の太鼓面部及び第四の垂れ先部の組における各組で使用される帯布の帯柄の向きが該組間で前記垂れ部の長手方向において対称、かつ、前記第三の太鼓面部及び前記第四の太鼓面部で使用される帯布の帯柄の上から下への向きが互いに向き合うように仕立てられ、前記第一の手先部及び前記第三の手部の組、前記第一の手部及び前記第三の手先部の組、前記第二の手部及び前記第四の手先部の組並びに前記第二の手先部及び前記第四の手部の組の各組においては、帯柄が異なる第一の帯布、第二の帯布、第三の帯布及び第四の帯布のうち一つずつが、重複の無いように使用され、前記第一の垂れ先部及び第二の太鼓面部の組、前記第一の太鼓面部及び第二の垂れ先部の組、前記第三の垂れ先部及び第四の太鼓面部の組並びに前記第三の太鼓面部及び第四の垂れ先部の組の各組においては、帯柄が異なる第一の帯布、第二の帯布、第三の帯布及び第四の帯布のうち一つずつが、重複の無いように使用されることを特徴とする。
【００１５】
また、開示する付け帯の一形態は、上記構成に加え、前記第一の手先部及び前記第三の手部の組、前記第一の手部及び前記第三の手先部の組、前記第二の手部及び前記第四の手先部の組並びに前記第二の手先部及び前記第四の手部の組の各組においては、使用される帯布の帯柄の向きが前記胴巻部の短手方向に揃うように仕立てられることを特徴とする。
【発明の効果】
【００１６】
開示する付け帯は、４通りの帯柄を楽しむことができると共に、表に出る部位の帯柄を統一させることによって和服や小物とのコーディネイトを容易にし、着用方法も容易である。
【図面の簡単な説明】
【００１７】
【図１】本実施の形態に係る胴巻部の概要を説明するための図である。（ａ）は、本実施の形態に係る胴巻部の表面図であり。（ｂ）は、本実施の形態に係る胴巻部の裏面図である。
【図２】本実施の形態に係る垂れ部の概要を説明するための図である。（ａ）は、本実施の形態に係る垂れ部の表面図であり。（ｂ）は、本実施の形態に係る垂れ部の裏面図である。
【図３】本実施の形態に係る胴巻部の着用方法を説明するための図である（第一の帯布を表にする巻き方）。（ａ）は、着用者を正面から見た図であり。（ｂ）は、着用者を背面から見た図である。
【図４】本実施の形態に係る胴巻部の着用方法を説明するための図である（第二の帯布を表にする巻き方）。（ａ）は、着用者を正面から見た図であり。（ｂ）は、着用者を背面から見た図である。
【図５】本実施の形態に係る胴巻部の着用方法を説明するための図である（第三の帯布を表にする巻き方）。（ａ）は、着用者を正面から見た図であり。（ｂ）は、着用者を背面から見た図である。
【図６】本実施の形態に係る胴巻部の着用方法を説明するための図である（第四の帯布を表にする巻き方）。（ａ）は、着用者を正面から見た図であり。（ｂ）は、着用者を背面から見た図である。
【図７】本実施の形態に係る垂れ部の着用方法を説明するための図である（第一の帯布を表にする巻き方）。
【図８】本実施の形態に係る垂れ部の着用状態を説明するための図である（第一の帯布を表にする巻き方）。
【図９】本実施の形態に係る垂れ部の着用方法を説明するための図である（第二の帯布を表にする巻き方）。
【図１０】本実施の形態に係る垂れ部の着用状態を説明するための図である（第二の帯布を表にする巻き方）。
【図１１】本実施の形態に係る垂れ部の着用方法を説明するための図である（第三の帯布を表にする巻き方）。
【図１２】本実施の形態に係る垂れ部の着用状態を説明するための図である（第三の帯布を表にする巻き方）。
【図１３】本実施の形態に係る垂れ部の着用方法を説明するための図である（第四の帯布を表にする巻き方）。
【図１４】本実施の形態に係る垂れ部の着用状態を説明するための図である（第四の帯布を表にする巻き方）。
【発明を実施するための形態】
【００１８】
図面を参照しながら、本発明を実施するための形態について説明する。
（本実施の形態に係る付け帯の構造）
【００１９】
図１及び図２を用いて、本実施の形態に係る付け帯１の構造について説明する。図１は、付け帯１の構成要素である胴巻部２の構造を示す図であり、図２は、付け帯１の構成要素である垂れ部２４の構造を示す図である。
付け帯１は、胴巻部２、垂れ部２４を有し、着用方法によって、表に出る帯柄を統一した上で、４通りの帯柄を表現することができる和服用の帯である。
【００２０】
胴巻部２は、付け帯１の着用者４６の胴部に２回半程度巻き付けて（二巻き半程度巻き付けて）使用する半幅の帯であり、表面４と裏面１４で模様が異なる。胴巻部２の表面４には、第一の手先部６、第一の手部８、第二の手部１０、第二の手先部１２が設けられるように仕立てられ、胴巻部２の裏面１４には、第三の手先部１６、第三の手部１８、第四の手部２０、第四の手先部２２が設けられるように仕立てられる。
第一の手先部６は、付け帯１で形成する帯結びの形状を保たせる（維持させる）ための部位である。第一の手先部６の長さは、約５０ｃｍである。
第一の手部８は、着用者４６の胴囲程度の長さを備え、着用者４６の胴部に巻き付けて使用する部位である。第一の手部８の長さは、約９０ｃｍである。
第二の手部１０は、着用者４６の胴囲程度の長さを備え、着用者４６の胴部に巻き付けて使用する部位である。第二の手部１０の長さは、約９０ｃｍである。
第二の手先部１２は、付け帯１で形成する帯結びの形状を保たせる（維持させる）ための部位である。第二の手先部１２の長さは、約５０ｃｍである。
【００２１】
図１（ａ）で示すように、胴巻部２の表面４では、第一の手先部６、第一の手部８、第二の手部１０及び第二の手先部１２の順で接合されるように、それぞれの部位の帯布がつなぎ合わせられる。
第三の手先部１６は、付け帯１で形成する帯結びの形状を保たせる（維持させる）ための部位である。第三の手先部１６の長さは、約５０ｃｍである。
第三の手部１８は、着用者４６の胴囲程度の長さを備え、着用者４６の胴部に巻き付けて使用する部位である。第三の手部１８の長さは、約９０ｃｍである。
第四の手部２０は、着用者４６の胴囲程度の長さを備え、着用者４６の胴部に巻き付けて使用する部位である。第四の手部２０の長さは、約９０ｃｍである。
第四の手先部２２は、付け帯１で形成する帯結びの形状を保たせる（維持させる）ための部位である。第四の手先部２２の長さは、約５０ｃｍである。
【００２２】
図１（ｂ）で示すように、胴巻部２の裏面１４では、第三の手先部１６、第三の手部１８、第四の手部２０及び第四の手先部２２の順で接合されるように、それぞれの部位の帯布がつなぎ合わせられる。
【００２３】
胴巻部２においては、第一の手先部６の裏面に第三の手先部１６が配置され、第一の手部８の裏面に第三の手部１８が配置され、第二の手部１０の裏面に第四の手部２０が配置され、第二の手先部１２の裏面に第四の手先部２２が配置されるように、各部位に対応する帯布を接いで仕立てられる。
【００２４】
第一の手先部６と第三の手部１８とは、同じ帯柄を備えた帯布を使用して仕立てられる。第一の手部８と第三の手先部１６とは、同じ帯柄を備えた帯布を使用して仕立てられる。第二の手部１０と第四の手先部２２とは、同じ帯柄を備えた帯布を使用して仕立てられる。第二の手先部１２と第四の手部２０とは、同じ帯柄を備えた帯布を使用して仕立てられる。さらに、第一の手先部６と第三の手部１８との組、第一の手部８と第三の手先部１６との組、第二の手部１０と第四の手先部２２との組、第二の手先部１２と第四の手部２０との組の４つの組では、帯柄の異なる４つの帯布Ａ、Ｂ、Ｃ、Ｄを使用して、各組間で帯柄の重複が無いように仕立てられる。
【００２５】
図１（ａ）（ｂ）では、第一の手先部６と第三の手部１８との組に帯布Ｃを使用し、第一の手部８と第三の手先部１６との組に帯布Ａを使用し、第二の手部１０と第四の手先部２２との組に帯布Ｂを使用し、第二の手先部１２と第四の手部２０との組に帯布Ｄを使用して仕立てられている。
【００２６】
また、図１（ａ）（ｂ）で示すように、第一の手先部６及び第三の手部１８の組、第一の手部８及び第三の手先部１６の組、第二の手部１０及び第四の手先部２２の組、第二の手先部１２及び第四の手部２０の組の各組内においては、各部位の帯柄の向きが胴巻部２の短手方向に揃うように、各部位を構成する帯布を接いで仕立てられることが好適である。
【００２７】
胴巻部２の手の部位では、最終的に表に出す帯布以外の帯布は、当該表に出す帯布に隠れてしまうことに着目し、一方、手先の部位では、帯布を反転させてお太鼓の中に入れるため、内側に巻いている部位が表側として現れることに着目した。その結果、胴巻部２を上記構成とすることによって、付け帯１は、手と手先の部位で表に現れる帯柄を統一させた状態で、４通りの帯柄を表現することができる。
【００２８】
垂れ部２４は、付け帯１で帯結びを形成するための部位（装飾部位）であって、全幅の帯であり、表面２６と裏面３６で模様が異なる。垂れ部２４の表面２６は、第一の垂れ先部２８、第一の太鼓面部３０、第二の太鼓面部３２、第二の垂れ先部３４が設けられるように仕立てられる。垂れ部２４の裏面３６は、第三の垂れ先３８、第三の太鼓面部４０、第四の太鼓面部４２、第四の垂れ先部４４が設けられるように仕立てられる。
第一の垂れ先部２８は、垂れ部２４の端部に位置し、所謂垂れ先に該当する部位である。第一の垂れ先部２８の長さは、約１５ｃｍである。
第一の太鼓面部３０は、付け帯１で形成するお太鼓となる部位である。第一の太鼓面部３０の長さは、約４０ｃｍである。
第二の太鼓面部３２は、付け帯１で形成するお太鼓となる部位である。第二の太鼓面部３２の長さは、約４０ｃｍである。
第二の垂れ先３４は、垂れ部２４の端部に位置し、所謂垂れ先に該当する部位である。第二の垂れ先部３４の長さは、約１５ｃｍである。
【００２９】
図２（ａ）で示すように、垂れ部２４の表面２６では、第一の垂れ先部２８、第一の太鼓面部３０、第二の太鼓面部３２及び第二の垂れ先部３４の順で接合されるように、それぞれの部位の帯布がつなぎ合わせられる。
【００３０】
また、図２（ａ）で示すように、第一の垂れ先部２８と第二の太鼓面部３２の組、第一の太鼓面部３０と第二の垂れ先部３４の組について、組毎に同じ帯柄を備える帯布が使用される。そして、図２（ａ）で示すように、これら各組において使用される帯布は、帯柄が垂れ部２４の長手方向を向き、かつ、組間の帯柄が反対方向を向き（組どうしで帯柄の向きが反対である）、かつ、第一の太鼓面部３０及び第二の太鼓面部３２で使用される帯布の帯柄の上から下への向きが互いに向き合うように仕立てられる。なお、「各組において使用される帯布は、帯柄が垂れ部２４の長手方向を向き、かつ、組間の帯柄が反対方向を向き」とは、各組で使用される帯布の帯柄の向きが該組間で垂れ部２４の長手方向において対称であると言い換えることもできる。また、「第一の太鼓面部３０及び第二の太鼓面部３２で使用される帯布の帯柄の上から下への向きが互いに向き合うように」とは、第一の太鼓面部３０及び第二の太鼓面部３２で使用される帯布の帯柄の向きが垂れ部２４の中央を向くようにと言い換えることもできる。
第三の垂れ先部３８は、垂れ部２４の端部に位置し、所謂垂れ先に該当する部位である。第三の垂れ先部３８の長さは、約１５ｃｍである。
第三の太鼓面部４０は、付け帯１で形成するお太鼓となる部位である。第三の太鼓面部４０の長さは、約４０ｃｍである。
第四の太鼓面部４２は、付け帯１で形成するお太鼓となる部位である。第四の太鼓面部４２の長さは、約４０ｃｍである。
第四の垂れ先４４は、垂れ部２４の端部に位置し、所謂垂れ先に該当する部位である。第四の垂れ先部４４の長さは、約１５ｃｍである。
【００３１】
図２（ｂ）で示すように、垂れ部２４の裏面３６では、第三の垂れ先部３８、第三の太鼓面部４０、第四の太鼓面部４２及び第四の垂れ先部４４の順で接合されるように、それぞれの部位の帯布がつなぎ合わせられる。
【００３２】
また、図２（ｂ）で示すように、第三の垂れ先部３８と第四の太鼓面部４２の組、第三の太鼓面部４０と第四の垂れ先部４４の組について、組毎に同じ帯柄を備える帯布が使用される。そして、図２（ｂ）で示すように、これら各組において使用される帯布は、帯柄が垂れ部２４の長手方向を向き、かつ、組間の帯柄が反対方向を向き（組どうしで帯柄の向きが反対である）、かつ、第三の太鼓面部４０及び第四の太鼓面部４２で使用される帯布の帯柄の上から下への向きが互いに向き合うように仕立てられる。なお、「各組において使用される帯布は、帯柄が垂れ部２４の長手方向を向き、かつ、組間の帯柄が反対方向を向き」とは、各組で使用される帯布の帯柄の向きが該組間で垂れ部２４の長手方向において対称であると言い換えることもできる。また、「第三の太鼓面部４０及び第四の太鼓面部４２で使用される帯布の帯柄の上から下への向きが互いに向き合うように」とは、第三の太鼓面部４０及び第四の太鼓面部４２で使用される帯布の帯柄の向きが垂れ部２４の中央を向くようにと言い換えることもできる。
【００３３】
第一の垂れ先部２８と第二の太鼓面部３２とは、同じ帯柄を備えた帯布を使用して仕立てられる。第一の太鼓面部３０と第二の垂れ先部３４とは、同じ帯柄を備えた帯布を使用して仕立てられる。第三の垂れ先部３８と第四の太鼓面部４２とは、同じ帯柄を備えた帯布を使用して仕立てられる。第三の太鼓面部４０と第四の垂れ先部４４とは、同じ帯柄を備えた帯布を使用して仕立てられる。
【００３４】
さらに、第一の垂れ先部２８と第二の太鼓面部３２との組、第一の太鼓面部３０と第二の垂れ先部３４との組、第三の垂れ先部３８と第四の太鼓面部４２との組、第三の太鼓面部４０と第四の垂れ先部４４との組の４つの組では、帯柄の異なる４つの帯布Ａ、Ｂ、Ｃ、Ｄを使用して、各組間で帯柄の重複が無いように仕立てられる。
【００３５】
図２（ａ）（ｂ）では、第一の垂れ先部２８と第二の太鼓面部３２との組に帯布Ｂを使用し、第一の太鼓面部３０と第二の垂れ先部３４との組に帯布Ａを使用し、第三の垂れ先部３８と第四の太鼓面部４２との組に帯布Ｄを使用し、第三の太鼓面部４０と第四の垂れ先部４４との組に帯布Ｃを使用して仕立てられている。
【００３６】
垂れ部２４では、最終的に表に出す帯布以外の帯布は、当該表に出す帯布に隠れてしまうことに着目すると共に、片面２つの太鼓面部及び垂れ先部の帯柄が上下対称となるように仕立てることによって、どの帯柄の帯布でお太鼓を形成する場合であっても、垂れ部２４の折り方は同じとなる一方で、４通りのお太鼓柄を表現することができる。
【００３７】
なお、図１及び図２では、Ａ、Ｂ、Ｃ、Ｄの各文字の向きが、各帯布が備える帯柄の向きを示している。また、第一の帯布Ａ、第二の帯布Ｂ、第三の帯布Ｃ、第四の帯布Ｄは、向きを有する帯柄を備えているものとする。
（本実施の形態に係る付け帯の使用方法）
図３乃至図１４を用いて、本実施の形態に係る付け帯１の使用方法（着用方法、巻き方）について説明する。
（１）胴巻部２の着用方法について
【００３８】
ここでは、図３乃至図６を用いて、胴巻部２の着用方法について説明する。なお、図３は、第一の帯布Ａが表に出るように胴巻部２を着用する方法を説明する図であり、図４は、第二の帯布Ｂが表に出るように胴巻部２を着用する方法を説明する図であり、図５は、第三の帯布Ｃが表に出るように胴巻部２を着用する方法を説明する図であり、図６は、第四の帯布Ｄが表に出るように胴巻部２を着用する方法を説明する図である。
【００３９】
はじめに、図３を用いて、第一の帯布Ａが表に来るように胴巻部２を着用する方法を説明する。図３（ａ）で示すように、着用者４６は、正面中央付近から第二の手先部１２（第四の帯布Ｄ）を表向きにして巻き始める。そうすると、図３（ｂ）で示すように、表に出る部位が着用者４６の背面中央付近で第二の手部１０（第二の帯布Ｂ）に切り替わる。
【００４０】
続けて、着用者４６が、胴巻部２を巻いて行き、第二の手部１０を胴部に一巻きすると、図３（ｂ）で示すように、表に出る部位が背面中央付近で第一の手部８（第一の帯布Ａ）に切り替わる。さらに続けて、着用者４６が、胴巻部２を巻いて行き、第一の手部８を胴部に一巻きすると、図３（ｂ）で示すように、表に出る部位が背面中央付近で第一の手先部６（第三の帯布Ｃ）に切り替わる。
【００４１】
次に、着用者４６は、背面中央付近で、胴巻部２をクリップで止め、その状態を維持させ、第一の手先部６は遊ばせておく（解放させておく）。ここで、第一の手先部６の裏面は、第三の手先部１６（第一の帯布Ａ）となっており、垂れ部２４で形成するお太鼓の中に通すために第一の手先部６を折り返すと、第一の帯布Ａが表に現れることになる。
このようにして胴巻部２を着用することで、着用後、胴巻部２の表に現れる部位は、第一の帯布Ａ、つまり、第一の帯柄に統一される。
【００４２】
次に、図４を用いて、第二の帯布Ｂが表に来るように胴巻部２を着用する方法を説明する。図４（ａ）で示すように、着用者４６は、正面中央付近から第一の手先部６（第三の帯布Ｃ）を表向きにして巻き始める。そうすると、図４（ｂ）で示すように、表に出る部位が着用者４６の背面中央付近で第一の手部８（第一の帯布Ａ）に切り替わる。
【００４３】
続けて、着用者４６が、胴巻部２を巻いて行き、第一の手部８を胴部に一巻きすると、図４（ｂ）で示すように、表に出る部位が背面中央付近で第二の手部１０（第二の帯布Ｂ）に切り替わる。さらに続けて、着用者４６が、胴巻部２を巻いて行き、第二の手部１０を胴部に一巻きすると、図４（ｂ）で示すように、表に出る部位が背面中央付近で第二の手先部１２（第四の帯布Ｄ）に切り替わる。
【００４４】
次に、着用者４６は、背面中央付近で、胴巻部２をクリップで止め、その状態を維持させ、第二の手先部１２は遊ばせておく（解放させておく）。ここで、第二の手先部１２の裏面は、第四の手先部２２（第二の帯布Ｂ）となっており、垂れ部２４で形成するお太鼓の中に通すために第二の手先部１２を折り返すと、第二の帯布Ｂが表に現れることになる。
このようにして胴巻部２を着用することで、着用後、胴巻部２の表に現れる部位は、第二の帯布Ｂ、つまり、第二の帯柄に統一される。
【００４５】
次は、図５を用いて、第三の帯布Ｃが表に来るように胴巻部２を着用する方法を説明する。図５（ａ）で示すように、着用者４６は、正面中央付近から第四の手先部２２（第二の帯布Ｂ）を表向きにして巻き始める。そうすると、図５（ｂ）で示すように、表に出る部位が着用者４６の背面中央付近で第四の手部２０（第四の帯布Ｄ）に切り替わる。
【００４６】
続けて、着用者４６が、胴巻部２を巻いて行き、第四の手部２０を胴部に一巻きすると、図５（ｂ）で示すように、表に出る部位が背面中央付近で第三の手部１８（第三の帯布Ｃ）に切り替わる。さらに続けて、着用者４６が、胴巻部２を巻いて行き、第三の手部１８を胴部に一巻きすると、図５（ｂ）で示すように、表に出る部位が背面中央付近で第三の手先部１６（第一の帯布Ａ）に切り替わる。
【００４７】
次に、着用者４６は、背面中央付近で、胴巻部２をクリップで止め、その状態を維持させ、第三の手先部１６は遊ばせておく（解放させておく）。ここで、第三の手先部１６の裏面は、第一の手先部６（第三の帯布Ｃ）となっており、垂れ部２４で形成するお太鼓の中に通すために第三の手先部１６を折り返すと、第三の帯布Ｃが表に現れることになる。
このようにして胴巻部２を着用することで、着用後、胴巻部２の表に現れる部位は、第三の帯布Ｃ、つまり、第三の帯柄に統一される。
【００４８】
次は、図６を用いて、第四の帯布Ｄが表に来るように胴巻部２を着用する方法を説明する。図６（ａ）で示すように、着用者４６は、正面中央付近から第三の手先部１６（第一の帯布Ａ）を表向きにして巻き始める。そうすると、図６（ｂ）で示すように、表に出る部位が着用者４６の背面中央付近で第三の手部１８（第三の帯布Ｃ）に切り替わる。
【００４９】
続けて、着用者４６が、胴巻部２を巻いて行き、第三の手部１８を胴部に一巻きすると、図６（ｂ）で示すように、表に出る部位が背面中央付近で第四の手部２０（第四の帯布Ｄ）に切り替わる。さらに続けて、着用者４６が、胴巻部２を巻いて行き、第四の手部２０を胴部に一巻きすると、図６（ｂ）で示すように、表に出る部位が背面中央付近で第四の手先部２２（第二の帯布Ｂ）に切り替わる。
【００５０】
次に、着用者４６は、背面中央付近で、胴巻部２をクリップで止め、その状態を維持させ、第四の手先部２２は遊ばせておく（解放させておく）。ここで、第四の手先部２２の裏面は、第二の手先部１２（第四の帯布Ｄ）となっており、垂れ部２４で形成するお太鼓の中に通すために第四の手先部２２を折り返すと、第四の帯布Ｄが表に現れることになる。
このようにして胴巻部２を着用することで、着用後、胴巻部２の表に現れる部位は、第四の帯布Ｄ、つまり、第四の帯柄に統一される。
（２）垂れ部２４の着用方法について
【００５１】
ここでは、図７乃至図１４を用いて、垂れ部２４の着用方法について説明する。なお、図７及び図８は、第一の帯布Ａが表に出るように垂れ部２４を着用する方法を説明する図であり、図９及び図１０は、第二の帯布Ｂが表に出るように垂れ部２４を着用する方法を説明する図であり、図１１及び図１２は、第三の帯布Ｃが表に出るように垂れ部２４を着用する方法を説明する図であり、図１３及び図１４は、第四の帯布Ｄが表に出るように垂れ部２４を着用する方法を説明する図である。
【００５２】
はじめに、図７を用いて、第一の帯布Ａが表に出るように垂れ部２４を着用する方法を説明する。図７（ａ）で示すように、第一の太鼓面部３０（第一の帯布Ａ）及び第二の垂れ先部３４（第一の帯布Ａ）を表に出し、第一の垂れ先部（第二の帯布Ｂ）及び第二の太鼓面部３２（第二の帯布Ｂ）が表から見えないように、垂れ部２４の上部及び中央下部を折ってお太鼓を形成する。その際、着用者４６は、垂れ部２４の上部を１８ｃｍ程度折り、帯枕ガーゼを背中側に当てつつ正面で縛って、形成したお太鼓を背中に固定する。
【００５３】
そして、図７（ｂ）で示すように、着用者４６は、遊ばせておいた第一の手先部６（第三の帯布Ｃ）を手前側に折り返し、第三の手先部１６（第一の帯布Ａ）が表となる様にして、形成したお太鼓の中へ第三の手先部１６を通す。
【００５４】
その後、図７（ｃ）で示すように、着用者４６は、帯締めを通し、正面で結ぶことによって、付け帯１を使用した帯結びが完成させる。なお、着用者４６の背中にあるお太鼓は、垂れ部２４を、図８で示すように折り込むことによって形成される。
このようにして垂れ部２４を着用することで、着用後、お太鼓（垂れ部２４）の表に現れる部位は、第一の帯布Ａ、つまり、第一の帯柄に統一される。
【００５５】
次に、図９を用いて、第二の帯布Ｂが表に出るように垂れ部２４を着用する方法を説明する。なお、垂れ部２４は、第一の帯布Ａを表に出す場合とは上下位置を反対にして着用される。図９（ａ）で示すように、第二の太鼓面部３２（第二の帯布Ｂ）及び第一の垂れ先部２８（第二の帯布Ｂ）を表に出し、第二の垂れ先部（第一の帯布Ａ）及び第一の太鼓面部３０（第一の帯布Ａ）が表から見えないように、垂れ部２４の上部及び中央下部を折ってお太鼓を形成する。その際、着用者４６は、垂れ部２４の上部を１８ｃｍ程度折り、帯枕ガーゼを背中側に当てつつ正面で縛って、形成したお太鼓を背中に固定する。
【００５６】
そして、図９（ｂ）で示すように、着用者４６は、遊ばせておいた第二の手先部１２（第四の帯布Ｄ）を手前側に折り返し、第四の手先部２２（第二の帯布Ｂ）が表となる様にして、形成したお太鼓の中へ第四の手先部２２を通す。
【００５７】
その後、図９（ｃ）で示すように、着用者４６は、帯締めを通し、正面で結ぶことによって、付け帯１を使用した帯結びが完成させる。なお、着用者４６の背中にあるお太鼓は、垂れ部２４を、図１０で示すように折り込むことによって形成される。
このようにして垂れ部２４を着用することで、着用後、お太鼓（垂れ部２４）の表に現れる部位は、第二の帯布Ｂ、つまり、第二の帯柄に統一される。
【００５８】
今度は、図１１を用いて、第三の帯布Ｃが表に出るように垂れ部２４を着用する方法を説明する。図１１（ａ）で示すように、第三の太鼓面部４０（第一の帯布Ｃ）及び第四の垂れ先部４４（第三の帯布Ｃ）を表に出し、第三の垂れ先部（第四の帯布Ｄ）及び第四の太鼓面部４２（第四の帯布Ｄ）が表から見えないように、垂れ部２４の上部及び中央下部を折ってお太鼓を形成する。その際、着用者４６は、垂れ部２４の上部を１８ｃｍ程度折り、帯枕ガーゼを背中側に当てつつ正面で縛って、形成したお太鼓を背中に固定する。
【００５９】
そして、図１１（ｂ）で示すように、着用者４６は、遊ばせておいた第三の手先部１６（第一の帯布Ａ）を手前側に折り返し、第一の手先部６（第三の帯布Ｃ）が表となる様にして、形成したお太鼓の中へ第一の手先部６を通す。
【００６０】
その後、図１１（ｃ）で示すように、着用者４６は、帯締めを通し、正面で結ぶことによって、付け帯１を使用した帯結びが完成させる。なお、着用者４６の背中にあるお太鼓は、垂れ部２４を、図１２で示すように折り込むことによって形成される。
このようにして垂れ部２４を着用することで、着用後、お太鼓（垂れ部２４）の表に現れる部位は、第三の帯布Ｃ、つまり、第三の帯柄に統一される。
【００６１】
次に、図１３を用いて、第四の帯布Ｄが表に出るように垂れ部２４を着用する方法を説明する。なお、垂れ部２４は、第三の帯布Ｃを表に出す場合とは上下位置を反対にして着用される。図１３（ａ）で示すように、第四の太鼓面部４２（第四の帯布Ｄ）及び第三の垂れ先部３８（第四の帯布Ｄ）を表に出し、第四の垂れ先部４４（第三の帯布Ｃ）及び第三の太鼓面部４０（第三の帯布Ｃ）が表から見えないように、垂れ部２４の上部及び中央下部を折ってお太鼓を形成する。その際、着用者４６は、垂れ部２４の上部を１８ｃｍ程度折り、帯枕ガーゼを背中側に当てつつ正面で縛って、形成したお太鼓を背中に固定する。
【００６２】
そして、図１３（ｂ）で示すように、着用者４６は、遊ばせておいた第四の手先部２２（第二の帯布Ｂ）を手前側に折り返し、第二の手先部１２（第四の帯布Ｄ）が表となる様にして、形成したお太鼓の中へ第二の手先部１２を通す。
【００６３】
その後、図１３（ｃ）で示すように、着用者４６は、帯締めを通し、正面で結ぶことによって、付け帯１を使用した帯結びが完成させる。なお、着用者４６の背中にあるお太鼓は、垂れ部２４を、図１４で示すように折り込むことによって形成される。
このようにして垂れ部２４を着用することで、着用後、お太鼓（垂れ部２４）の表に現れる部位は、第四の帯布Ｄ、つまり、第四の帯柄に統一される。
【００６４】
図８、図１０、図１２及び図１４で示したように、お太鼓を形成する際の垂れ部２４の折り方は、どの帯布を表にする場合であっても、同じである。従って、垂れ部２４を着用するとき、着用者４６が垂れ部２４の折り方を覚える負担は非常に小さい。
なお、図７（ｃ）、図９（ｃ）、図１１（ｃ）及び図１３（ｃ）では、図の複雑化を避けるため、胴巻部２上のハッチング処理を省略している。
（総括）
特許文献１では、手（胴）・太鼓面・垂れ先に現れる帯柄の組合せのバリエーションを増やすことを目的とした和服用帯が開示されている。
【００６５】
しかし、ただ単に帯柄の組合せのバリエーションを豊富にすると、帯と和服及び小物とのコーディネイトの一貫性がなくなってしまう。また、通常、手（胴）・太鼓面・垂れ先に現れる帯柄を統一させて、和服を着用する場合が圧倒的に多い。
【００６６】
そういった現実の和服着用の場面を想定し、特許文献１に記載の技術において、手（胴）・太鼓面・垂れ先の帯柄を統一した場合、一通りの帯柄しか表現することができない。また、具体的には開示はないものの、特許文献１における胴巻部用帯が表裏異模様であることに鑑みれば、特許文献１に記載の技術を発展させたとしても、二通りの帯柄しか表現することができない。
【００６７】
一方で、本発明は、手・手先・太鼓面・垂れ先の帯柄を統一させた上で、四通りの帯柄を表現することができる。これは、表に見せない帯布（帯柄）は、表に見せる帯布で覆って隠せば良い、または、内側に折り込むことによって隠せば良いという考え方に基づくものである。
【００６８】
また、特許文献１では、当該文献の図２で示されるように、太鼓部用帯の着用方法（折り方）が、どの帯柄を表にするのかによって区々である。従って、着用者は、全ての折り方を覚え、かつ、その折り方を表にする帯柄と関連付けて記憶し実践しなければならず、これは着用者にとって大きな負担である。
【００６９】
それに対し、本発明では、４通りの帯柄全てについて、垂れ部２４（太鼓部用帯）の着用方法（折り方）が同じであり、特許文献１に記載の技術に比べ、着用者が記憶すべき情報量は少なくて良いため、着用者にとって負担を軽減させることができる。これは、垂れ部２４において配置される帯柄の方向を上で説明したように工夫することによって、達成されるものである。
【００７０】
さらに、特許文献１では、当該文献の図１で示されるように、太鼓部用帯と胴巻部用帯の帯幅が同じであり、通常、太鼓部用帯は全幅であることから、胴巻部用帯も全幅であるものと推測することができる。そして、全幅の胴巻部用帯を着用者の胴部に巻く場合、通常、帯幅が半分になるように折って巻くため、帯芯を考慮に入れると、着用者胴部に巻かれる布は１２枚と、非常に厚くなってしまい、その結果、胴巻部用帯は締め難くなってしまう。
【００７１】
それに対し、本発明に係る付け帯１では、当初から胴巻部２（胴巻部用帯）は、半幅に仕立てられているため、改めて胴巻部２を折る必要は無く、帯芯を考慮に入れた場合であっても、着用者胴部に巻かれる布は６枚乃至８枚となる。その結果、本発明に係る付け帯１では、特許文献１に記載の胴巻部用帯と比較すると、着用者胴部に巻く布が薄く、胴巻部２は巻き易いということができる。
【００７２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００７３】
１    付け帯
２    胴巻部
４    胴巻部の一の面（胴巻部の表面）
６    第一の手先部
８    第一の手部
１０  第二の手部
１２  第二の手先部
１４  胴巻部の他の面（胴巻部の裏面）
１６  第三の手先部
１８  第三の手部
２０  第四の手部
２２  第四の手先部
２４  垂れ部
２６  垂れ部の一の面（垂れ部の表面）
２８  第一の垂れ先部
３０  第一の太鼓面部
３２  第二の太鼓面部
３４  第二の垂れ先部
３６  垂れ部の他の面（垂れ部の裏面）
３８  第三の垂れ先部
４０  第三の太鼓面部
４２  第四の太鼓面部
４４  第四の垂れ先部
４６  付け帯１の着用者
Ａ    第一の帯布（第一の柄を備えた帯布）
Ｂ    第二の帯布（第二の柄を備えた帯布）
Ｃ    第三の帯布（第三の柄を備えた帯布）
Ｄ    第四の帯布（第四の柄を備えた帯布）
【図１】
2014148761.tif 000003
【図２】
2014148761.tif 000004
【図３】
2014148761.tif 000005
【図４】
2014148761.tif 000006
【図５】
2014148761.tif 000007
【図６】
2014148761.tif 000008
【図７】
2014148761.tif 000009
【図８】
2014148761.tif 000010
【図９】
2014148761.tif 000011
【図１０】
2014148761.tif 000012
【図１１】
2014148761.tif 000013
【図１２】
2014148761.tif 000014
【図１３】
2014148761.tif 000015
【図１４】
2014148761.tif 000016